(57)【要約】【課題】操作レバーの回転方向が、払い出される内容（カプセルの種類）を反映して景品払い出しを可能にすることにより従来のものに比較しプレイヤの遊戯心をより高めることができる、簡単な構造の払い出し機構を有する遊戯機を提供する。【解決手段】  回転レバー５を右回転すると、小形カプセルを収容する回転盤のみが回転しカプセル取り出し口より小形カプセルを取り出すことができる。回転レバー５を左回転すると、大形カプセルを収容する回転盤のみが回転しカプセル取り出し口より大形カプセルを取り出すことができる。１つの回転レバーを右方向か左方向に回転させることによりカプセルの種類を選ぶことができ、プレイヤの遊戯心を高めることができる。【選択図】        図１
2005242518.tif 000002
【特許請求の範囲】
【請求項１】
異なるサイズのカプセルをそれぞれ収納するためのカプセル収容部を遊戯機筐体に分割して複数設け、
前記遊戯機筐体面に設けた回動可能な操作部と、
前記操作部に連設され、前記操作部の回動力を２分岐して伝達する軸伝達手段と、
円周縁にギヤ部を有し、前記カプセル収容部の景品を収容する溝を円周方向に複数個有する２以上の回転盤と、
前記２分岐された軸伝達手段の各軸対応に設けられ、前記軸伝達手段の一方向の回転では前記回転盤のギヤ部に噛合して前記回転盤の回転を可能にし、前記軸伝達手段の反対方向の回転では前記回転盤のギヤ部とは噛合せず前記回転盤の回転を停止するように形成されたギヤ伝達手段と、
前記回転盤が所定位置に回転したとき、前記景品収容溝に収容されている景品を落下させる景品落下板手段とを備え、
前記操作部の一方向と反対方向のそれぞれの操作に対応して一方の回転盤からのみ景品を払い出すことを特徴とする異なるカプセルを払い出し可能な遊戯機。
【請求項２】
異なるサイズのカプセルをそれぞれ収納するためのカプセル収容部を遊戯機筐体に分割して複数設け、
前記遊戯機筐体面に設けた回動可能な操作部と、
前記操作部に連設され、前記操作部の回動力を２分岐して伝達する軸伝達手段と、
前記２分岐された軸伝達手段の各軸に設けられたギヤ手段と、
前記ギヤ手段に噛合するギヤ部Ａと反対面にギヤ部Ｂを有するギヤ板と、
円周縁にギヤ部Ｃを有し、該ギヤ部Ｃが前記ギヤ板のギヤ部Ｂに噛合し、前記カプセル収容部の景品を収容する溝を円周方向に複数個有する２以上の回転盤と、
前記回転盤が所定位置に回転したとき、前記景品収容溝に収容されている景品を落下させる景品落下板手段とを備え、
かつ、前記ギヤ手段とギヤ板のギヤ部Ａそれぞれとの噛合構造は、
前記ギヤ手段の一方の回転ではギヤ板のギヤ部Ａに噛合し、反対方向の回転ではギヤ板のギヤ部Ａとは噛合しないように前記ギヤ手段とギヤ板のギヤ部Ａの歯を形成し前記ギヤ手段が一方に回転するとギヤ部Ａを一方向に移動させ、前記ギヤ手段が反対方向に回転するとギヤ板の移動を停止し、
ギヤ板のギヤ部Ｂの一方の移動では回転盤のギヤ部Ｃに噛合し、反対方向の移動では回転盤のギヤ部Ｃと噛合しないようにギヤ板のギヤＢと回転盤のギヤＣの歯を形成しギヤ板が一方向に移動すると回転盤のギヤ部Ｃを回転させ、ギヤ板が反対方向に移動すると回転盤の回転を停止するように構成し、
前記操作部の一方向と反対方向のそれぞれの操作に対応して一方の回転盤からのみ景品を払い出すことを特徴とする異なるカプセルを払い出し可能な遊戯機。
【請求項３】
前記軸伝達手段の２分岐構造は、伝達路途中に伝達方向を９０度変換するための歯車手段が挿入され前記操作部からの回動力を上下または左右方向に伝達するように構成され、
前記回転盤にそれぞれ有する景品収容溝は、各回転盤毎に大きさの異なるカプセル収容溝であることを特徴とする請求項１または２記載の異なるカプセルを払い出し可能な遊戯機。
【請求項４】
前記歯車手段は傘歯車により構成されることを特徴とする請求項３記載の異なるカプセルを払い出し可能な遊戯機。
【請求項５】
前記ギヤ手段は、平歯車であって、その歯の形状は左右対象の傾斜をもつ三角形状で、歯の部分は剛体であり、
前記ギヤ板のギヤ部Ａの歯の形状は一側の斜面は略垂直で、他側の斜面は緩やかな傾斜を有し、歯の部分の材質は、変形可能なゴムまたはプラスチックを用い、
前記平歯車と前記ギヤ部Ａは欠歯を有することを特徴とする請求項２記載の異なるカプセルを払い出し可能な遊戯機。
【請求項６】
前記ギヤ板のギヤ部Ｂの歯の形状は、左右対象の傾斜をもつ三角形状で、歯の部分は剛体であり、
前記回転盤のギヤ部Ｃの歯の形状は一側の斜面は略垂直で、他側の斜面は緩やかな傾斜を有し、歯の部分の材質は、変形可能なゴムまたはプラスチックを用いたことを特徴とする請求項２または５記載の異なるカプセルを払い出し可能な遊戯機。
【発明の詳細な説明】
【技術分野】
【０００１】
本発明は、筐体前面に設置されたレバーを操作することにより景品などが入ったカプセルを払い出すことができる遊戯機に関する。
【背景技術】
【０００２】
景品を格納するカプセルを手動操作により払い出しができる遊戯機が種々提案されている。
この種の遊戯機における従来の払い出し機構は、所定のコインを投入することにより、操作レバーの回転を可能にし、プレイヤが操作レバーを回転させることにより、カプセルを払い出すものであり、その遊戯機は常に同じ種類のカプセルを払い出すものであり、所謂、ガチャガチャと呼ばれる物である。
【０００３】
この遊戯機は、左右どちらかの方向にのみ向けてレバーを回転させるようになっている。そして、その回転出力が払い出し機構と連動し、１個のカプセルを払い出すものであり、それ以外の異なる操作をすることはできない。また、それらは見た目も変化が無く、多くの機種では同様な構成で単一的な仕様である。
従来の遊戯機の一例を説明する（特許文献１）。
この遊戯機（物品取出装置）は、装置本体の前面に操作部を有し、所定のコイン投入により操作部の回転を可能としてプレイヤが一方向にレバーを回転することにより、レバーに連設されている軸および歯車の回転によりカプセルを搭載する回転盤を回転させてカプセルを落下口まで誘導し、カプセルを落とすことにより払い出しがなされるものである。
【０００４】
この装置は基本的には１種類のカプセルのみ１個ずつしか払い出すことができないが、他の種類のカプセルを払い出すため本装置管理者が物品収納ケースを引き出して物品収納ケース内のカプセルの種類を交換できる構造を有しており、他の種類のカプセルも払い出しができるようになっている。
【特許文献１】特開２００３−１７８３６８号公報
【発明の開示】
【発明が解決しようとする課題】
【０００５】
しかしながら、同じ装置で他の種類のカプセルも払い出しができるというものの、プレイヤから見れば、同時には１種類しか決められたカプセルを払い出すことができないものである。
２種類以上のカプセルを取り出し可能にするには、同じ装置を２個以上並設することが必要である。
【０００６】
そこで、１つの遊戯機で、しかもユーザの操作によって異なるカプセルを選択して払い出しができるカプセル払い出し機構を有する遊戯機筐体の実現が望まれる。
本発明の目的は、操作レバーの回転方向が、払い出される内容（カプセルの種類）を反映して景品払い出しを可能にすることにより従来のものに比較しプレイヤの遊戯心をより高めることができる、簡単な構造の払い出し機構を有する遊戯機を提供することにある。
【課題を解決するための手段】
【０００７】
前記目的を達成するために本発明による請求項１は、異なるサイズのカプセルをそれぞれ収納するためのカプセル収容部を遊戯機筐体に分割して複数設け、前記遊戯機筐体面に設けた回動可能な操作部と、前記操作部に連設され、前記操作部の回動力を２分岐して伝達する軸伝達手段と、円周縁にギヤ部を有し、前記カプセル収容部の景品を収容する溝を円周方向に複数個有する２以上の回転盤と、前記２分岐された軸伝達手段の各軸対応に設けられ、前記軸伝達手段の一方向の回転では前記回転盤のギヤ部に噛合して前記回転盤の回転を可能にし、前記軸伝達手段の反対方向の回転では前記回転盤のギヤ部とは噛合せず前記回転盤の回転を停止するように形成されたギヤ伝達手段と、前記回転盤が所定位置に回転したとき、前記景品収容溝に収容されている景品を落下させる景品落下板手段とを備え、前記操作部の一方向と反対方向のそれぞれの操作に対応して一方の回転盤からのみ景品を払い出すことを特徴とする。
本発明の請求項２は、異なるサイズのカプセルをそれぞれ収納するためのカプセル収容部を遊戯機筐体に分割して複数設け、前記遊戯機筐体面に設けた回動可能な操作部と、前記操作部に連設され、前記操作部の回動力を２分岐して伝達する軸伝達手段と、前記２分岐された軸伝達手段の各軸に設けられたギヤ手段と、前記ギヤ手段に噛合するギヤ部Ａと反対面にギヤ部Ｂを有するギヤ板と、円周縁にギヤ部Ｃを有し、該ギヤ部Ｃが前記ギヤ板のギヤ部Ｂに噛合し、前記カプセル収容部の景品を収容する溝を円周方向に複数個有する２以上の回転盤と、前記回転盤が所定位置に回転したとき、前記景品収容溝に収容されている景品を落下させる景品落下板手段とを備え、かつ、前記ギヤ手段とギヤ板のギヤ部Ａそれぞれとの噛合構造は、前記ギヤ手段の一方の回転ではギヤ板のギヤ部Ａに噛合し、反対方向の回転ではギヤ板のギヤ部Ａとは噛合しないように前記ギヤ手段とギヤ板のギヤ部Ａの歯を形成し前記ギヤ手段が一方に回転するとギヤ部Ａを一方向に移動させ、前記ギヤ手段が反対方向に回転するとギヤ板の移動を停止し、ギヤ板のギヤ部Ｂの一方の移動では回転盤のギヤ部Ｃに噛合し、反対方向の移動では回転盤のギヤ部Ｃと噛合しないようにギヤ板のギヤＢと回転盤のギヤＣの歯を形成しギヤ板が一方向に移動すると回転盤のギヤ部Ｃを回転させ、ギヤ板が反対方向に移動すると回転盤の回転を停止するように構成し、前記操作部の一方向と反対方向のそれぞれの操作に対応して一方の回転盤からのみ景品を払い出すことを特徴とする。
本発明の請求項３は、請求項１または２記載の発明において前記軸伝達手段の２分岐構造は、伝達路途中に伝達方向を９０度変換するための歯車手段が挿入され前記操作部からの回動力を上下または左右方向に伝達するように構成され、前記回転盤にそれぞれ有する景品収容溝は、各回転盤毎に大きさの異なるカプセル収容溝であることを特徴とする。
本発明の請求項４は、請求項３記載の発明において前記歯車手段は傘歯車により構成されることを特徴とする。
本発明の請求項５は、請求項２記載の発明において前記ギヤ手段は、平歯車であって、その歯の形状は左右対象の傾斜をもつ三角形状で、歯の部分は剛体であり、前記ギヤ板のギヤ部Ａの歯の形状は一側の斜面は略垂直で、他側の斜面は緩やかな傾斜を有し、歯の部分の材質は、変形可能なゴムまたはプラスチックを用い、前記平歯車と前記ギヤ部Ａは欠歯を有することを特徴とする。
本発明の請求項６は、請求項２または５記載の発明において前記ギヤ板のギヤ部Ｂの歯の形状は、左右対象の傾斜をもつ三角形状で、歯の部分は剛体であり、前記回転盤のギヤ部Ｃの歯の形状は一側の斜面は略垂直で、他側の斜面は緩やかな傾斜を有し、歯の部分の材質は、変形可能なゴムまたはプラスチックを用いたことを特徴とする。
【発明の効果】
【０００８】
上記構成によれば筐体部を上下または左右に分けたカプセル収容部に異なるサイズのカプセルを収納し、１つの操作部でプレイヤ自身が右回転または左回転を選択することにより異なるカプセルを選択して払い出すことができ、また、カプセルの大きさに応じて払い出すカプセルの個数を変えることもできる。これによりプレイヤの遊戯心をより高めることができる。
また、その遊戯機を複数個数用意することで、様々な組み合わせで遊ぶことが可能となる。
【発明を実施するための最良の形態】
【０００９】
以下、図面を参照して本発明の実施の形態を詳しく説明する。
図１は本発明による遊戯機の外観を示す斜視図である。
遊戯機筐体１の前面上部には大形カプセルディスプレイ２と小形カプセルディスプレイ３が設けられ、サンプルとして大形カプセル６と小形カプセル７が展示されている。
大形カプセル６の上にはＰＯＰが取り付けられている。小形カプセルディスプレイ３の下側には回転レバー５が設置され、左側に回すと大きいカプセルが払い出され、右側に回すと小さいカプセルが払い出される旨の表示がなされている。右位置のコイン投入口４に所定のコインを投入することにより回転レバー５はロック状態が解除され、右左いずれかに回転可能となる。回転レバー５の下部に景品在庫確認用窓８が設置され、さらにその下部に払い出されたカプセルを取り出すための取り出し口１０およびコインを収集するための集金口９が設けられている。カプセルが払い出されると、回転レバー５はロックされる。
【００１０】
図２は、カプセル払い出し機構の動作を説明するための図である。
カプセル収納箱１６または１７（図４参照）内には回転盤１１があり、収納箱のカプセルは回転盤１１の円周方向に一定間隔で設けたカプセル収容溝１１ｃに搭載されている。回転盤１１の下側にはカプセル受板１２が設けられ、回転盤１１の収容溝１１ｃの回転経路中に落下口１２ａが設置されている。回転レバー５の回転操作により回転盤１１は回転し、１つのカプセル収容溝１１ｃと落下口１２ａが一致している状態からつぎのカプセル収容溝１１ｃと落下口１２ａが一致する位置まで移動したときに、１つのカプセルが落下し払い出される。
大きいカプセルおよび小さいカプセルの落下機構はカプセル収容溝１１ｃの大きさ，数が異なるだけで同じ機構が用いられる。
【００１１】
図３は、コインの投入経路を説明するための遊戯機筐体の概略側面図である。
コイン投入口４からコイン１３を投入するとコイン落下通路１５を通ってコイン収納箱１４に回収される。このとき、コイン１３はコイン落下通路１５に入る前に回転レバー５のロック状態を解除する。回転レバーのロックと解除機構は、例えば、投入されたコインの重さにより、中央に支点を有するロックレバー（図示しない）が回転し、回転したロックレバーの一端が回転レバー５の裏面または軸に設けられた突起（図示しない）係合から外れることにより回転レバー５の回動を可能とする。また、景品が払い出される（軸が所定角度以上回転する）と、ロックレバーの一端が上記突起に再度係合して回転レバー５の回動を阻止する。
【００１２】
図４は、小形カプセルと大形カプセルの払い出し経路を説明するための遊戯機筐体の概略側面図である。
回転レバー５を左回転させると、小形カプセル収納箱１６内の回転盤１１ａのみが回転し、小形カプセル２個が落下通路２８を通ってカプセル取り出し部３０に落下する。同様に回転レバー５を右回転させると、大形カプセル収納箱１７内の回転盤１１ｂのみが回転し、大形カプセル１個が落下通路２９を通ってカプセル取り出し部３０に落下する。
【００１３】
図５は、小形カプセルと大形カプセル払い出しのための回動力伝達動作を説明するための遊戯機筐体の概略側面図である。
いずれ側の方向に回転レバー５を回転させてもレバー軸１８を介し傘歯車手段によって上下の連結杆２０，２１に回転力は伝達される。当初、平歯車２４（２５）がラック板２６（２７）の所定位置に噛合している状態から、小形カプセルを払い出す場合には図５（ｃ），（ｄ）に示すようにラック板２６が右方向に移動して回転盤１１ａを回転させる。平歯車２５はこのときラック板２７の間で噛合できず、ラック板２７上で空回転し、回転盤１１ｂは動くことはない。反対に大形カプセルを払い出す場合はラック板２７が右方向に移動し、上記と同様、回転盤１１ｂを回転させる。平歯車２４はこのときラック板２６の間で噛合できず、ラック板２６上で空回転することとなり、回転盤１１ａは動くことはない。
【００１４】
図６は、カプセル払い出し機構の詳細を説明するための斜視図である。
回転レバー５はつまみ部５ａを有し、回転レバー５の中央位置にはレバー軸１８が固定され、レバー軸１８の他端には傘歯車１９が設けられている。回転レバー５の背面には突起５ｂが設けられ、突起５ｂが図示しない筐体側部材の孔に嵌合することにより、クリック構造が形成され、回転レバー５を例えば右方向または左方向に１８０度回転させることにより、つぎの孔に嵌合して回転が止まるようになっている。
小形カプセル収容回転盤１１ａに回転力を伝達する連結杆２０はその一端に欠歯部２４ａ（略１８０度間隔で２個所）を有する平歯車２４が、他端に傘歯車２２が取り付けられ、傘歯車２２が傘歯車１９に噛合している。同様に大形カプセル収容回転盤１１ｂに回転力を伝達する連結杆２１はその一端に欠歯部２５ａ（略１８０度間隔で２個所）を有する平歯車２５が、他端に傘歯車２３が取り付けられ、傘歯車２３が傘歯車１９に噛合している。この構成により回転レバー５の回転出力を上下に２分岐している。
【００１５】
小形カプセル側の平歯車２４は、ラック板２６の一面に形成され欠歯部２６ａを有するギヤ部Ａに噛合され、ラック板２６の反対面に形成されたギヤ部Ｂは小形カプセル収容回転盤１１ａの円周縁に設けられたギヤ部Ｃに噛合されている。小形カプセル収容回転盤１１ａは８個のカプセル収容溝１１ｃを有し、１回で２個分のカプセルを落下させるべき回転する。この回転量は小形カプセル収容回転盤１１ａの当初位置から欠歯部２６ａまで達するラック板２６の移動量に対応する。ラック板２６の右端は、他端が遊戯機筐体部材に固定された復帰バネ３３の一端に係止され、ラック板２６は右方向に移動習性が与えられている。ラック板２６は図示しない部材により所定の位置で右方向の移動が阻止されている（当初位置）。
一方、大形カプセル側の平歯車２５はラック板２７の一面に形成され欠歯部２５ａを有するギヤ部Ａに噛合され、ラック板２７の反対面に形成されたギヤ部Ｂは大形カプセル収容回転盤１１ｂの円周縁に設けられたギヤ部Ｃに噛合されている。大形カプセル収容回転盤１１ｂは５個のカプセル収容溝１１ｃを有し、１回で１個分のカプセルを落下させるべき回転する。この回転量は大形カプセル収容回転盤１１ｂの当初位置から欠歯部２７ａまで達するラック板２７の移動量に対応する。ラック板２７の左端は、他端が遊戯機筐体部材にに固定された復帰バネ３４の一端に係止され、ラック板２７は左方向に移動習性が与えられている。ラック板２７は図示しない部材により所定の位置で左方向の移動が阻止されている（当初位置）。
【００１６】
小形カプセルを払い出す場合は、回転レバー５を実線の矢印に示すように１８０度右回転（回転レバーを正面から見た場合）すると、レバー軸１８は左回転し、連結杆２０，平歯車２４は左回転し、ラック板２６は復帰バネ３３に抗して左方向に移動し、小形カプセル収容回転盤１１ａが右回転し、平歯車２４とラック板２６の噛合部分が欠歯部２６ａに達すると、そこに達するまでの移動中に１個さらに欠歯部２６ａの位置で１個の小形カプセルが払い出される。この位置で小形カプセル収容回転盤１１ａはこれ以上回転をすることはないが、さらに平歯車２４がプレイヤの操作によって２個の小形カプセルが払い出されても少しオーバー回転するため、平歯車２４の欠歯部２４ａの部分まで回転する。このオーバ回転により平歯車２４とラック板２６との噛合が解除されるため、ラック板２６は解放されて復帰バネ３３によって当初位置に戻る。上記小形カプセル払い出し動作中は大形カプセル払い出し側の連結杆２１，平歯車２５も右回転するが、平歯車２５はラック板２７のギヤ部Ａとの間では噛合せず、空転してラック板２７は動くことはない。なお、回転レバー５はつぎのクリックの孔に嵌合しその位置で停止することとなる。回転レバー５がつぎのクリック位置に嵌合したとき、回転レバー５の回転はロックレバーによりロックされる。
【００１７】
一方、大形カプセルを払い出す場合は、回転レバー５を白抜きの矢印に示すように１８０度左回転（回転レバーを正面から見た場合）すると、レバー軸１８は右回転し、連結杆２１，平歯車２５は左回転し、ラック板２７は復帰バネ３４に抗して右方向に移動し、大形カプセル収容回転盤１１ｂが右回転し、平歯車２５とラック板２７の噛合部分が欠歯部２７ａに達すると、その位置で１個の大形カプセルが払い出される。この位置で大形カプセル収容回転盤１１ｂはこれ以上回転をすることはないが、さらに平歯車２５がプレイヤの操作により少しオーバー回転するため、平歯車２５の欠歯部２５ａの部分まで回転する。このオーバ回転により平歯車２５とラック板２７との噛合が解除されるため、ラック板２７は解放されて復帰バネ３４によって当初位置に戻る。上記大形カプセル払い出し動作中は小形カプセル払い出し側の連結杆２０，平歯車２４は左回転するが、ラック板２６のギヤ部Ａとの間では噛合せず、平歯車２４は空転してラック板２６は動くことはない。回転レバー５がつぎのクリック位置に嵌合したとき、回転レバー５の回転はロックレバーによりロックされる。
ラック板２６（２７）の初期位置を変えて小形（大形）カプセル収容回転盤に対するラック板２６（２７）の欠歯部の位置を変えることにより小形（大形）カプセル収容回転盤の回転量を変えてカプセルの取り出す数を変えることが可能である。かかる場合、平歯車２４（２５）の直径を変えて、平歯車２４（２５）の欠歯部の位置もラック板２６（２７）の欠歯部の位置より後ろ位置に移動するように調整することが必要である。
【００１８】
図７は、平歯車の回転方向に対する各ラック板の移動方向を説明するため図である。平歯車２４と２５を重ねそれぞれにラック板２６と２７が噛合している状態を示すもので、  図６の下方から上方向に見た図である。
図７（ａ）では回転レバーが操作されず、ラック板２６と２７は初期位置にある。
この状態で、平歯車２５の右回転によってラック板２７が移動するが、平歯車２４の回転によってはラック板２６は移動しない（図７（ｂ））。反対に平歯車２４の左回転によってラック２６板が移動するが、平歯車２５の回転によってはラック板２７は移動しない（図７（ｃ））。
【００１９】
図８は、一方向は伝達し他方向には伝達しないギヤ伝達機構の原理を説明するための図である。図８（ａ）および（ｂ）には小形および大形カプセル側のギヤ伝達機構を示しており、これらは同じ原理の機構であるので、小形カプセル側のギヤ伝達機構のみを説明する。平歯車２４は両斜面が対象形で、その傾斜が略６０度になる金属または硬質プラスチックによる歯より構成され、所定の位置に欠歯部２４ａを有している。ラック板２６のギヤ部Ａ（下面）は一側の斜面は略垂直で、他側の斜面は緩やかな傾斜を有し、歯の部分の材質は、変形可能なゴムまたはプラスチックによる歯により構成されている。
また、ラック板２６のギヤ部Ｂは両斜面が対象形で、その傾斜が略６０度になる金属または硬質プラスチックによる歯より構成され、小形カプセル収容回転盤１１ａの外周のギヤ部Ｃは一側の斜面は略垂直で、他側の斜面は緩やかな傾斜を有し、歯の部分の材質は、変形可能なゴムまたはプラスチックによる歯により構成されている。
【００２０】
図９に、図８のギヤの歯形状の噛合状態を説明するための図を示す。
平歯車２４の歯が右方向に移動すると、平歯車２４の歯端はギヤ部Ａの垂直部分を押すためギヤ部Ａと噛合して同じ方向にギヤ部Ａを移動させることができる。しかしながら、平歯車２４を左方向に移動させると、平歯車２４の歯端はギヤ部Ａの緩やかの傾斜部分に当たるが、ギヤ部Ａの歯端が変形して逃げるため平歯車２４は左方向に移動するがギヤ部Ａは移動することはない。
【００２１】
図８におけるラック板２６のギヤ部Ｂと小形カプセル収容回転盤１１ａのギヤ部Ｃとの関係も平歯車２４とラック板２６のギヤ部Ａに示す関係と同じ構成であり、ラック板２６のギヤ部Ｂの左方向の移動に対して小形カプセル収容回転盤１１ａも従動するが、ラック板２６の復帰（右方向）移動に対しては小形カプセル収容回転盤１１ａは回転することはない。なお、ラチェット爪３７を設け、バネ３８によってギヤ部Ｃにラチェット爪３７を落ち込むように構成することにより小形カプセル収容回転盤１１ａの逆方向の回転を確実に阻止することができる。
【００２２】
図１０は、本発明による遊戯機の操作および動作の流れを説明するためのフローチャートである。遊戯機１が待機中の状態でコインが投入されると、回転レバーのロックが解除される（ステップ（以下、「Ｓ」という）０１，Ｓ０２）。
プレイヤが回転レバーを右に回転させると、小さい景品が入った小形カプセルが２個払い出される（Ｓ０３，Ｓ０４）。一方、回転レバーを左に回転させると、大きい景品が入った大形カプセル１個が払い出される（Ｓ０５，Ｓ０６）。
プレイヤは取り出し口からカプセルを取り出すことができゲームが終了する（Ｓ０７，Ｓ０８）。
【００２３】
以上の実施の形態は、小形カプセル収納部を上部に、大形カプセル収納部を下部に設けた例について説明したが、小形カプセル収納部および大形カプセル収納部を左右に並べて設けても良い。
また、回転レバーの回転量（例えば１８０度）に対し、平歯車に十分な回転量を得ることができない場合、または平歯車の回転量が大きすぎる場合にはレバー軸１８の中間に加速ギヤ群または減速ギヤ群を挿入して対処することができる。
【産業上の利用可能性】
【００２４】
アーケードゲームセンターなどに設置される景品払い出し装置である。
【図面の簡単な説明】
【００２５】
【図１】本発明による遊戯機の外観を示す斜視図である。
【図２】カプセル払い出し機構の動作を説明するための図である。
【図３】コインの投入経路を説明するための遊戯機筐体の概略側面図である。
【図４】小形カプセルと大形カプセルの払い出し経路を説明するための遊戯機筐体の概略側面図である。
【図５】小形カプセルと大形カプセル払い出しのための回動力伝達動作を説明するための遊戯機筐体の概略側面図である。
【図６】カプセル払い出し機構の詳細を説明するための斜視図である。
【図７】平歯車の回転方向に対する各ラック板の移動方向を説明するための図である。
【図８】一方向は伝達し他方向は伝達しないギヤ伝達機構の原理を説明するための図である。
【図９】図８のギヤの歯形状の噛合状態を説明するための図である。
【図１０】本発明による遊戯機の操作および動作の流れを説明するためのフローチャートである。
【符号の説明】
【００２６】
１  遊戯機筐体  
２  大形カプセルディスプレイ  
３  小形カプセルディスプレイ  
４  コイン投入口  
５  回転レバー（操作部）
５ａ  つまみ部
６  大形カプセル（景品）
７  小形カプセル（景品）
８  景品在庫確認用窓
９  コイン集金口
１０  カプセル取り出し口
１１  回転盤
１１ａ  小形カプセル収容回転盤
１１ｂ  大形カプセル収容回転盤
１１ｃ  カプセル収容溝
１２  カプセル受板（景品落下板手段）
１２ａ  落下口
１３  コイン
１４  コイン収納箱
１５  コイン落下通路
１６  小形カプセル収納箱
１７  大形カプセル収納箱
１８  レバー軸
２０，２１  連結杆
１９，２２，２３  傘歯車
２４，２５  平歯車
２６，２７  ラック板（ギヤ板）
３３，３４  復帰バネ
３７，３９  ラチェット爪
３８，４０  バネ
【図１】
2005242518.tif 000003
【図２】
2005242518.tif 000004
【図３】
2005242518.tif 000005
【図４】
2005242518.tif 000006
【図５】
2005242518.tif 000007
【図６】
2005242518.tif 000008
【図７】
2005242518.tif 000009
【図８】
2005242518.tif 000010
【図９】
2005242518.tif 000011
【図１０】
2005242518.tif 000012